(57)【要約】【課題】レーザ光の変色層への集光の確実性の向上を図った光ディスクおよび光ディスク用スペーサを提供する。【解決手段】光ディスクが、変色層が配置される第１の領域より内周側に前記第１の領域より突出している第２の領域を有する。従い、光ディスクを光ディスク記録装置に取り付けたときに、突出した第２の領域で光ディスクが保持され、変色層をより高い位置に配置することができる。この結果、変色層の高さをデータ記録時の記録層と対応する高さとすることが可能となり、変色層への集光の確実性が向上する。【選択図】図１
2005346780.tif 000002
【特許請求の範囲】
【請求項１】
情報を記録、再生する記録層を有する基板と、
前記基板の主面上にあって、レーザ光の照射で変色する変色層が配置される第１の領域と、
前記基板の前記主面上にあって前記第1の領域より内周側に配置され、かつ前記第１の領域より突出している第２の領域と、
を具備することを特徴とする光ディスク。
【請求項２】
前記第１、第２の領域の間での段差が０．１ｍｍ以上である
ことを特徴とする請求項１記載の光ディスク。
【請求項３】
前記第２の領域が前記光ディスクをチャッキングするチャッキング領域に対応して配置されている
ことを特徴とする請求項１記載の光ディスク。
【請求項４】
光ディスクのチャッキング領域に対応して配置される第１の主面と、
前記第１の主面との間隔が０．１ｍｍ以上の第２の主面と、
を具備することを特徴とする光ディスク用スペーサ。
【発明の詳細な説明】
【技術分野】
【０００１】
本発明は、レーベル面にレーザ光で画像を形成する光ディスクおよび光ディスク用スペーサに関する。
【背景技術】
【０００２】
光ディスクは記録層を有し、情報の記録、再生に用いられている。光ディスクのレーベル面には光ディスクの記録内容等、光ディスクを互いに識別する画像（文字も含む）を表示するのが通例である。
ここで、熱または光によって変色する変色層を有する光ディスクにレーザ光を照射して光ディスクのレーベル面に画像を形成する技術が公開されている（特許文献１参照）。
【特許文献１】特開２００４−００５８４８
【発明の開示】
【発明が解決しようとする課題】
【０００３】
この画像形成は光ディスクに情報を記録する光ディスク記録装置を用いても行うことが可能である。
しかしながら、光ディスク記録装置によってはレーベル面への集光が困難な場合があることが判った。レーベル面への画像形成時のときの変色層の高さは、情報の記録・再生時のときの記録層の高さよりも低い。このため、光ディスクの反りや面ぶれが大きいと、変色層への集光が行えなくなり、レーベル面への画像の形成が困難となる場合がある。
上記に鑑み、本発明はレーザ光の変色層への集光の確実性の向上を図った光ディスクおよび光ディスク用スペーサを提供することを目的とする。
【課題を解決するための手段】
【０００４】
上記目的を達成するために、本発明に係る光ディスクは、情報を記録、再生する記録層を有する基板と、前記基板の主面上にあって、レーザ光の照射で変色する変色層が配置される第１の領域と、前記基板の前記主面上にあって前記第1の領域より内周側に配置され、かつ前記第１の領域より突出している第２の領域と、を具備することを特徴とする。
光ディスクが、変色層が配置される第１の領域より内周側に前記第１の領域より突出している第２の領域を有する。従い、光ディスクを光ディスク記録装置に取り付けたときに、突出した第２の領域で光ディスクが保持され、変色層をより高い位置に配置することができる。この結果、変色層の高さをデータ記録時の記録層と対応する高さとすることが可能となり、変色層への集光の確実性が向上する。
【発明の効果】
【０００５】
以上説明したように、本発明によればレーザ光の変色層への集光の確実性の向上を図った光ディスクおよび光ディスク用スペーサを提供できる。
【発明を実施するための最良の形態】
【０００６】
以下、図面を参照して、本発明の実施の形態を詳細に説明する。
（第１の実施の形態）
図１は本発明の第１実施形態に係る光ディスク１００を表す図である。また、図２は、光ディスク１００の断面を表す断面図である。なお、図１はレーベル面１１２側を表している。なお、Ｃは光ディスク１００の中心軸である。
【０００７】
光ディスク１００は、円形の外周１０１、およびチャッキングのための円形の開口１０２を有する。
光ディスク１００の上下の主面は、データ面（データ記録面ともいう）１１１，レーベル面（プリント面ともいう）１１２に区分される。光ディスク１００には、データ面１１１から順に、基板１２１，記録層１２２，変色層１２３、保護層１２４，が順に配置される。
【０００８】
データ面１１１は、記録層１２２への記録、再生のためのレーザ光が入射される面である。光ディスク１００への情報の記録、再生時にはデータ面１１１に入射されたレーザ光が基板１２１を透過し記録層１２２に入射することで、光ディスク１００への情報の記録、再生が行われる。この記録層１２２には、光ディスク１００の回転中心を中心とするリング状（または、螺旋状）のトラックが形成され、情報の記録再生はこのトラックに対して行われる。
【０００９】
レーベル面１１２は、光ディスク１００を識別するための画像が形成される面である。レーベル面１１２側からレーザ光が入射され、変色層１２３に集光されることでレーベル面１１２への画像の形成が行われる。
【００１０】
基板１２１は、透光性のある材料、例えば、ポリカーボネートが用いられる。
記録層１２２は情報記録用のレーザ光が入射されることで、光の反射率が変化する材料によって形成される。
変色層１２３は、レーザ光が集光されることで変色する材料からなる層である。なお、ここでいう変色とは色の変化に加えて、明暗の変化をも含み、レーザ光の照射によって目視で確認可能な何らかの変化があれば足りる。
保護層１２４は変色層１２３を外界から保護し、その退色等を防止するための保護膜である。
【００１１】
レーベル面１１２は、内周領域１０３，チャッキング領域１０４，レーベル領域１０５に区分される。
内周領域１０３は、開口１０２とチャッキング領域１０４の間の領域である。
チャッキング領域１０４は、光ディスク１００の保持（チャッキング）のための領域である。チャッキング領域１０４がレーベル領域１０５よりも突出していることで、レーベル領域１０５内の変色層１２３の位置を高くすることが可能となる。その結果、変色層１２３へのレーザ光の集光が容易に行える。
レーベル領域１０５は、変色層１２３および保護層１２４が配置される領域であり、このレーベル領域１０５にレーザ光による描画が行える。
【００１２】
チャッキング領域１０４は、例えば、内径の直径ｒ１が２２ｍｍ以上、外径の直径ｒ２が３３ｍｍ以下となるように設定される。通常の光ディスク装置のチャッキング機構と対応させるためである。
チャッキング領域１０４とレーベル領域１０５との段差ｄは、例えば、０．１ｍｍ以上で０．３ｍｍ以下の範囲とする。通常の光ディスク装置の集光の高さ範囲と対応させるためである。
【００１３】
図２では、内周領域１０３の高さをレーベル領域１０５と一致させているが、これは適宜に変更可能である。例えば、内周領域１０３の高さをチャッキング領域１０４と一致させることも可能である。
なお、光ディスク１００の板厚ｔは、例えば、約１．２ｍｍとすることができる。
【００１４】
図３は、チャッキング領域１０４が突出していない場合に、レーベル面１１２への画像形成時の変色層１２３が情報記録時の記録層１２２よりも高い位置になることを表す図である。
ここでは、光ディスク１００としてＣＤ，ＤＶＤの双方を考える。この場合、記録層１２２としてＣＤ、ＤＶＤの双方があり得る（記録層の高さが異なる）。
図３において、Ｓ１がＣＤ再生時のアクチュエータ高さ（ＣＤでの記録層１２２に対応する面：ＣＤデータフォーカス面）、Ｓ２が変色層１２３に対応する面（ラベルフォーカス面）である。また、Ｓ３が光ディスク装置のアクチュエータの中立位置（後述するアクチュエータ２３２を中立状態にしたときにレーザ光が集光される位置）に対応する面、Ｓ４がＤＶＤ再生時のアクチュエータ高さ（ＤＶＤでの記録層１２２に対応する面：ＤＶＤデータフォーカス面）である。
【００１５】
ＣＤデータフォーカス面Ｓ１，ラベルフォーカス面Ｓ２、ＤＶＤデータフォーカス面Ｓ４について何らかの誤差が生じる。この誤差として、機械的誤差±ｅ１、面誤差±ｅ２、板厚誤差±ｅ３が挙げられる。
機械的誤差±ｅ１（例えば、±１８０μｍ）は、光ディスク１００のチャッキングの際のバラツキに起因する誤差であり、ＣＤデータフォーカス面Ｓ１，ラベルフォーカス面Ｓ２、ＤＶＤデータフォーカス面Ｓ４いずれでも高さの誤差の要因となる。
面誤差±ｅ２（例えば、±５００μｍ）は、光ディスク１００の反りや回転時の面ぶれに起因する誤差であり、ＣＤデータフォーカス面Ｓ１，ラベルフォーカス面Ｓ２、ＤＶＤデータフォーカス面Ｓ４いずれでも高さの誤差の要因となる。
板厚誤差±ｅ３（例えば、±５０μｍ）は、光ディスク１００の製造時での板厚のバラツキに起因する誤差であり、ＣＤデータフォーカス面Ｓ１，ＤＶＤデータフォーカス面Ｓ４を考慮すれば足りる。
【００１６】
光ディスク１００（ＣＤおよびＤＶＤ）への記録の場合には、ＣＤデータフォーカス面Ｓ１およびＤＶＤデータフォーカス面Ｓ４の誤差範囲内、即ち、図３の距離範囲Ｄｒ１でレーザ光の集光、即ち、後述する対物レンズ２３１が移動されれば足りる。
これに対して、光ディスク１００（ＣＤおよびＤＶＤ）への記録に加えて、光ディスク１００の変色層１２３への像形成を行う場合には、ＣＤデータフォーカス面Ｓ１およびラベルフォーカス面Ｓ２の誤差範囲内、即ち、図３の距離範囲Ｄｒ２でレーザ光の集光、即ち、対物レンズ２３１を移動する必要がある。このとき、ＤＶＤデータフォーカス面Ｓ４はこの距離範囲Ｄｒ２内に含まれるので、直接考慮する必要はない。
【００１７】
図３に示されるように、距離範囲Ｄｒ２が距離範囲Ｄｒ１よりも下に広がっている。即ち、記録層１２２への情報の記録のみの場合よりも画像形成をも行う場合の方が対物レンズの必要な移動範囲が下に広くなっている。
これは、記録層１２２が光ディスク１００の面からある程度深い位置に配置されているのに対して、変色層１２３が光ディスク１００の面から比較的浅い位置に配置されていることに基づく。
以上のように、記録層１２２への情報の記録時よりも画像形成時の方が対物レンズの必要な移動範囲が下に広くなっている。このために、対物レンズ２３１の移動可能範囲の小さな光ディスク装置の場合に、変色層１２３への集光が困難となる可能性がある。
本実施形態に係る光ディスク１００を用いることでこのような事態の発生を防止できる。
【００１８】
（光ディスクへの画像の形成）
次に光ディスク１００のレーベル面に画像を形成する方法につき説明する。
Ａ．光ディスク装置
図４は光ディスク１００のレーベルへの画像の形成を行う光ディスク装置２００の構成を示すブロック図である。なお、光ディスク装置２００には光ディスク１００の記録層１２２への情報の書き込みを行う光ディスク記録装置を用いることが可能である。
光ディスク装置２００は、ディスク保持部２２１、スピンドルモータ２２２、光ピックアップヘッド２３０、制御部２４３、ドライバ回路２４４，２４５、およびフィードモータ２４６を有する。なお、受光素子等、記録層１２２への記録時には必要でも、レーベル面１１２への画像の形成には必ずしも必要ではないものは記載を省略している。
【００１９】
ディスク保持部２２１は、光ディスク１００を保持する。ディスク保持部２２１に保持された光ディスク１００はチャッキング領域１０４がレーベル領域１０５より突出していることで、レーベル領域１０５の変色層１２３が適切な高さに保たれる。
スピンドルモータ２２２は、ディスク保持部２２１ひいては光ディスク１００を回転させるモータであり、ディスクを回転させるディスク回転部として機能する。
【００２０】
光ピックアップヘッド２３０は、対物レンズ２３１、アクチュータ２３２、発光素子２３３を有する。
【００２１】
対物レンズ２３１は、光ディスク１００に対向し、光ディスク１００に発光素子２３３からのレーザ光を集光するためのレンズである。対物レンズ２３１で集光されたレーザ光が光ディスク１００のレーベル領域１０５の変色膜１２３に集光して変色膜１２３を変色させることで光ディスク１００のレーベル面１１２への画像の形成が行える。
【００２２】
アクチュータ２３２は、ドライバ回路２４４によって駆動され、対物レンズ２３１を光ピックアップヘッド２３０内で移動させることで、集光点を光ディスク１００の厚み方向および半径方向に移動するための移動機構である。厚み方向の移動は変色膜１２３への集光（焦点合わせ）のためであり、径方向への移動は集光箇所の径方向移動のためである。
チャッキング領域１０４がレーベル領域１０５より突出していることで、レーベル領域１０５の変色層１２３が適切な高さに保たれることから、アクチュータ２３２の厚み方向の移動範囲が小さい場合でも、変色層１２３への集光が行えるようになる。
【００２３】
発光素子２３３には、光を出射する光学素子であり、レーザダイオード（ＬＤ）等のレーザ光源を利用できる。発光素子２３３から出射されるレーザ光は変色層１２３の変色が可能な波長、光強度とすることが好ましい。
【００２４】
制御部２４３は、フィードモータ２４６およびアクチュータ２３２の少なくともいずれかを用いて、変色層１２３への集光（焦点合わせ）、および集光を光ディスク１００の径方向に移動させる集光箇所移動制御手段として機能する。
【００２５】
ドライバ回路２４４は、制御部２４３から出力された電圧値に応じた電流値をアクチュータ２３２に出力し、対物レンズ２３１を移動させることで、集光箇所を移動させる。
ドライバ回路２４５は制御部２４３から出力された電圧値に応じた電流値をフィードモータ２４６に出力し、光ピックアップヘッド２３０全体を光ディスク１００の径方向に移動させることで、集光箇所を移動させる。
【００２６】
フィードモータ２４６は、ドライバ回路２４５によって駆動され、集光を光ディスク１００の半径方向に移動するための移動機構である。光ピックアップヘッド２３０が移動することで、発光素子２３３から光ディスク１００に照射されるレーザ光の集光箇所が移動する。
【００２７】
Ｂ．画像形成
光ディスク１００のレーベルへの画像形成方法について説明する。
図５は、光ディスク装置２００を用いて光ディスク１００のレーベル面への画像形成を行う場合の手順の一例を表すフロー図である。
（１）光ディスク１００の設置・回転（ステップＳ１１）
レーベル面１１２を下面とした状態で光ディスク１００をディスク保持部２２１に取り付ける。その後、光ディスク１００をスピンドルモータ２２２で回転させる。
既述のように、チャッキング領域１０４がレーベル領域１０５より突出していることで、レーベル領域１０５の変色層１２３が適切な高さに保たれる。
【００２８】
（２）光ピックアップヘッド２３０の径方向移動（ステップＳ１２）
光ピックアップヘッド２３０をフィードモータ２４６で移動させ、光ディスク１００の径方向に移動させる。例えば、光ピックアップヘッド２３０を光ディスク１００の中心から半径ｒ１の場所に位置させる。光ディスク１００への画像の形成を開始させる位置にレーザ光を集光させるためである。なお、このときには発光素子２３３からのレーザ光の出射は行われていないのが通例である。
【００２９】
（３）光ディスク１００の円周方向でのドットの形成（ステップＳ１３）
光ディスク１００を回転した状態で発光素子２３３からのレーザ光を対物レンズ２３１で変色層１２３に集光することで変色層１２３が変色される。このとき、アクチュータ２３２が駆動することで変色層１２３への焦点合わせが行われる。レーベル領域１０５の変色層１２３が適切な高さに保たれることから、アクチュータ２３２の厚み方向の移動範囲が小さい場合でも、変色層１２３への集光が行える。
具体的には、光ディスクの回転に合わせて、発光素子２３３を点滅することで、光ディスク１００の円周方向にドット（変色層１２３がスポット状に変色した箇所）を形成する。画像（イメージ）をドットの集合として形成するためである。なお、ドットが連続すればライン（線）となる。
【００３０】
（４）画像作成の完了の判断（ステップ１４）
画像の作成が完了したか否かを判断する。画像の作成が完了していなければ光ピックアップヘッド２３０をフィードモータ２４６で移動させることで、集光箇所を光ディスク１００の径方向に移動させ（ステップＳ１２）、光ディスク１００の円周方向でのドットの作成を行う。
なお、光ピックアップヘッド２３０の移動のとき、発光素子２３３は必要に応じて、消灯、点灯のいずれかを行う。
【００３１】
以上のように、光ディスク１００の変色層１２３にレーザ光を集光させて変色させることで、レーベル面１１２にイメージを形成することができる。このとき、チャッキング領域１０４がレーベル領域１０５より突出していることで、レーベル領域１０５の変色層１２３が適切な高さに保たれることから、アクチュータ２３２の厚み方向の移動範囲が小さい場合でも、変色層１２３への集光が行える。
【００３２】
（第２の実施の形態）
図６（Ａ），（Ｂ）は本発明の第２実施形態に係る光ディスク用スペーサ３０を表す上面図および断面図である。なお、Ｃは光ディスク用スペーサ３０の中心軸である。
【００３３】
光ディスク用スペーサ３０は、円形の外周３１、および光ディスク装置による光ディスクのチャッキングのための円形の開口３２を有する。
光ディスク用スペーサ３０の上下の主面は、内周領域３３，チャッキング領域３４に区分される。
内周領域３３は、開口３２とチャッキング領域１０４の間の領域である。内周領域３３は、光ディスク装置によるチャッキングが保証されていない領域なので、内周領域３３をチャッキング領域３４よりも上下に厚さｔ２薄くして、光ディスク装置、さらには光ディスクの保持が安定して行われるようにしている。
チャッキング領域３４は、光ディスク１００の保持（チャッキング）のための領域である。
【００３４】
開口３２の直径Ｄ１は１５ｍｍ以上である。
チャッキング領域３４は、例えば、内径の直径ｒ１が２２ｍｍ以上、外径の直径ｒ２が３３ｍｍ以下となるように設定される。通常の光ディスク装置のチャッキング機構と対応させるためである。
スペーサ３０の板厚ｔ３は、例えば、０．１ｍｍ以上で０．３ｍｍ以下の範囲とする。通常の光ディスク装置の集光の高さ範囲と対応させるためである。
【００３５】
図７は、光ディスク装置２００に光ディスク用スペーサ３０および光ディスク５００を設置した状態を表す図である。
光ディスク５００には、データ面から順に、基板５２１，記録層５２２，変色層５１２３、保護層５２４，が順に配置される。
光ディスク用スペーサ３０が光ディスク５００のレーベル面のチャッキング領域と光ディスク装置２００のディスク保持部２２１との間に配置されることで、光ディスク５００の変色層５１２が適切な高さに配置され、アクチュータ２３２によるレーザ光の集光が容易となる。
【００３６】
ここで、光ディスク装置２００が光ディスク５００に反りや回転時の面ぶれの発生を検知する機能を有し、光ディスク５００の反りや面ぶれを検知（所定量以上の反り、面ぶれの発生を検知）したらユーザに警告する機能を持たせることができる。
このような機能を有する光ディスク装置２００では、ユーザが光ディスク装置２００に光ディスク５００を装着したときに光ディスク５００の反りや面ぶれを検知し、検知された反りや面ぶれが所定量以上のときにユーザに警告し、光ディスク装置２００と光ディスク５００との間に光ディスク用スペーサ３０を設置することを促す。このようにすることで、回転時の面ぶれがある光ディスク５００でも変色層５１２への集光が容易となる。
【００３７】
光ディスク５００に反りや回転時の面ぶれがない場合にはアクチュータ２３２による変色層５１２へのレーザ光の集光は比較的容易であるのに対して、光ディスク５００に反りや面ぶれがある場合にはアクチュータ２３２によるレーザ光の集光が困難となることに対応知する。
これ以外の点では第１の実施形態と本質的に変わるものではないので詳細な説明を省略する。
【００３８】
（その他の実施形態）
本発明の実施形態は上記の実施形態に限られず拡張、変更可能であり、拡張、変更した実施形態も本発明の技術的範囲に含まれる。
【図面の簡単な説明】
【００３９】
【図１】本発明の第１実施形態に係る光ディスクを表す上面図である。
【図２】光ディスクの断面を表す断面図である。
【図３】チャッキング領域が突出していない場合に、レーベル面への画像形成時の変色層が情報記録時の記録層よりも高い位置になることを表す図である。
【図４】光ディスクのレーベルへの画像の形成を行う光ディスク装置の構成を示すブロック図である。
【図５】光ディスク装置を用いて光ディスクのレーベル面への画像形成を行う場合の手順の一例を表すフロー図である。
【図６】本発明の第２実施形態に係る光ディスク用スペーサを表す上面図である。
【図７】光ディスク装置に光ディスク用スペーサおよび光ディスクを設置した状態を表す図である。
【符号の説明】
【００４０】
１００…光ディスク、１１１…データ面、１１２…レーベル面、１２１…基板、１２２…記録層、１２３…変色層、１２４…保護膜
【図１】
2005346780.tif 000003
【図２】
2005346780.tif 000004
【図３】
2005346780.tif 000005
【図４】
2005346780.tif 000006
【図５】
2005346780.tif 000007
【図６】
2005346780.tif 000008
【図７】
2005346780.tif 000009